(57)【要約】【課題】電源をＯＮにしてから画像が表示されるまでの時間を短縮化し得る液晶表示装置を提供する。【解決手段】マトリクス状に配置されたＴＦＴ１１〜ＴＦＴｘｙを有する液晶表示パネル１と、ゲートドライバ４と、データドライバ３と、電源電圧ＶＤＤを昇圧し、昇圧した電圧ＧＶＤＤをゲートドライバ４に供給するチャージポンプ回路５とを備えた液晶表示装置において、電圧ＧＶＤＤのノイズを低減するための容量６と、スイッチング素子８と、液晶コントローラ１０とを更に備えさせる。容量６は、スイッチング素子８を介して、チャージポンプ回路５に接続する。液晶コントローラ１０によって、チャージポンプ回路５がゲートドライバ４に供給する電圧ＧＶＤＤの電圧値が基準値に到達したとき又は到達した後に、スイッチング素子８を開状態から閉状態に切り替える。【選択図】  図１
2007101588.tif 000002
【特許請求の範囲】
【請求項１】
マトリクス状に配置された複数のアクティブ素子を有する液晶表示パネルと、ゲートドライバと、データドライバと、電源電圧を昇圧し、昇圧した電圧を前記ゲートドライバに供給する昇圧回路とを備えた液晶表示装置であって、
前記昇圧した電圧のノイズを低減するための容量と、スイッチング素子と、制御回路とを備え、
前記容量は、前記スイッチング素子を介して、前記昇圧回路に接続され、
前記制御回路は、前記昇圧回路が前記ゲートドライバに供給する電圧の電圧値が基準値に到達したとき又は到達した後に、前記スイッチング素子を開状態から閉状態に切り替えることを特徴とする液晶表示装置。
【請求項２】
ＡＣ／ＤＣ変換回路を更に備え、
前記制御回路が、前記昇圧回路が前記ゲートドライバに供給する電圧の電圧値が基準値に到達したとき又は到達した後に、前記ゲートドライバを駆動するためのゲートクロック信号を前記昇圧回路及び前記ＡＣ／ＤＣ変換回路へと出力し、
前記ＡＣ／ＤＣ変換回路は、前記ゲートクロック信号をＡＣ／ＤＣ変換し、変換後のゲートクロック信号を前記スイッチング素子に入力し、
前記スイッチング素子が、トランジスタ素子であり、前記変換後のゲートクロック信号の入力によって、前記昇圧回路が前記ゲートドライバに供給する電圧の電圧値が基準値に到達したとき又は到達した後に、開状態から閉状態に切り替わる請求項１に記載の液晶表示装置。
【請求項３】
前記複数のアクティブ素子それぞれが、アモルファスシリコンよりも電荷移動度の速いシリコンによってガラス基板上に形成され、
前記ゲートドライバ、前記データドライバ、及び前記昇圧回路が、前記液晶表示パネルを構成するアクティブマトリクス基板にモノリシックに形成されている請求項１または２に記載の液晶表示装置。
【請求項４】
前記液晶表示パネルが、外光を反射して液晶表示を行なう液晶表示パネルである請求項１〜３のいずれかに記載の液晶表示装置。
【発明の詳細な説明】
【技術分野】
【０００１】
本発明は、液晶表示装置、特にはアクティブマトリクス方式の液晶表示装置に関する。
【背景技術】
【０００２】
従来から、液晶表示装置として、ＴＦＴ（Ｔｈｉｎ  Ｆｉｌｍ  Ｔｒａｎｓｉｓｔｅｒ）を用いた、いわゆるアクティブマトリクス方式の液晶表示装置が知られている。アクティブマトリクス方式の液晶表示装置は、複数のＴＦＴがマトリクス状に配置されたアクティブマトリクス基板と、複数のカラーフィルタがマトリクス状に配置された対向基板との間で液晶を挟み込んで構成された液晶表示パネルを備えている。図３及び図４を用いて、従来からのアクティブマトリクス方式の液晶表示パネルの構成及び信号処理について説明する。
【０００３】
最初に、従来からのアクティブマトリクス方式の液晶表示装置の基本構成について図３を用いて説明する。図３は、従来からのアクティブマトリクス方式の液晶表示装置の構成を示す構成図である。図３において液晶表示装置は等価回路によって示されている。
【０００４】
図３に示すように、液晶表示装置は、液晶コントローラ（制御回路）３０、液晶表示パネル３１、データドライバ３３、ゲートドライバ３４、及びチャージポンプ回路３５を備えている。データドライバ３３、ゲートドライバ３４、及びチャージポンプ回路３５は、液晶表示パネル３１の表示領域３２の外側の領域（周辺領域）に搭載されている。
【０００５】
図３の例では、液晶表示パネル３１を構成するアクティブマトリクス基板において、シリコン膜は低温ポリシリコンで形成されている。このため、データドライバ３３、ゲートドライバ３４、及びチャージポンプ回路３５は、アクティブマトリクス基板にモノリシックに形成することができる。
【０００６】
液晶コントローラ３０は、液晶表示パネル３１を駆動するための各種信号を生成し、これをデータドライバ３３、ゲートドライバ３４、及びチャージポンプ回路３５に入力する。液晶コントローラ３０の動作については後述する。
【０００７】
液晶表示パネル３１の表示領域３２には、複数のＴＦＴ（アクティブ素子）１１〜ＴＦＴｘｙ、各ＴＦＴに対応する複数の画素電極（図示せず）、液晶層（図示せず）、対向基板に形成された複数のカラーフィルタ（図示せず）及び対向電極（図示せず）が設けられている。図３において、ＶＣＯＭは対向電極に印加される電圧を示している。また、Ｃ１１〜Ｃｘｙは、各画素電極と、対向電極と、これらの間に存在する液晶層とによって構成される画素容量を示している。ＴＦＴ１１〜ＴＦＴｘｙ、画素電極、画素容量Ｃ１１〜Ｃｘｙは、マトリクス状に配置されている。
【０００８】
また、表示領域３２には、複数本のデータラインＤＬ１〜ＤＬｘと、複数本のゲートラインＧＬ１〜ＧＬｙも設けられている。ゲートラインＧＬ１〜ＧＬｙは、ＴＦＴ１１〜ＴＦＴｘｙのＯＮ／ＯＦＦを行なうための信号ラインであり、ゲートドライバ３４によって駆動される。また、ゲートラインＧＬ１〜ＧＬｙは、水平方向の同一ライン上に並ぶＴＦＴ毎に備えられ、水平方向の同一ライン上に並ぶＴＦＴのゲートは、同一のゲートラインに接続されている。ゲートラインＧＬ１〜ＧＬｙのうちゲートドライバ３４によって選択されたラインは、そのライン上に並ぶ全てのＴＦＴをＯＮとする。このとき、選択されていないライン上に並ぶ全てのＴＦＴはＯＦＦとなる。
【０００９】
データラインＤＬ１〜ＤＬｘは、ＴＦＴ１１〜ＴＦＴｘｙを介して画素容量Ｃ１１〜Ｃｘｙに電圧を印加するための信号ラインであり、データドライバ３３によって駆動されている。データラインＤＬ１〜ＤＬｘは、垂直方向の同一ライン上に並ぶＴＦＴ毎に備えられ、垂直方向の同一ライン上に並ぶＴＦＴのドレインに接続されている。なお、ＴＦＴ１１〜ＴＦＴｘｙそれぞれのソースは、対応する画素電極に接続されている。
【００１０】
更に、表示領域３２には、データ保持のために、ＴＦＴ１１〜ＴＦＴｘｙそれぞれに対応する補助容量Ｃｓ１１〜Ｃｓｘｙも設けられている。補助容量Ｃｓ１１〜Ｃｓｘｙは、Ｃｓ配線（図示せず）と、画素電極と、これらの間に形成された層間絶縁膜とによって構成されている。補助容量Ｃｓ１１〜Ｃｓｘｙそれぞれは、画素電極を介して、対応する画素容量Ｃ１１〜Ｃｘｙに接続されている。また、図３の例では、補助容量Ｃｓ１１〜Ｃｓｘｙには、補助容量を最大容量付近で使用するために、Ｃｓ配線を介して、チャージポンプ回路３５によって昇圧された電圧ＧＶＤＤが印加される（例えば、特許文献１参照）。
【００１１】
チャージポンプ回路３５は、電源回路（図示せず）から入力された電源電圧ＶＤＤ（例えば１２［Ｖ］）を、液晶コントローラ３０からのソースクロック（ＳＣＫ）信号の入力タイミングに合わせて昇圧し、電圧ＧＶＤＤ（例えば１６［Ｖ］）を生成する（例えば、特許文献２参照）。電圧ＧＶＤＤは、上述したＣｓ配線やゲートドライバ３４に印加される。ゲートドライバ３４は、ＴＦＴ１１〜ＴＦＴｘｙをＯＮにするためのスイッチング電圧として、電圧ＧＶＤＤを使用する。
【００１２】
また、チャージポンプ回路３５には、ゲートドライバ３４に加え、容量３６とツェナーダイオード３７も接続されている。容量３６は、電圧ＧＶＤＤが出力される際のノイズ低減を目的としたものである。また、ツェナーダイオード３７は、定電圧の維持や過剰電圧の防止を目的としたものである。容量３６及びツェナーダイオード３７も、液晶表示パネル３１の周辺領域に搭載されている。
【００１３】
次に、図３に示した液晶コントローラ３０が液晶表示パネルに入力する信号及びその入力タイミングについて、図４を用いて説明する。図４は、図３に示した液晶表示パネルに外部から入力される信号を示す図である。なお、図４では、液晶表示装置の電源投入時、即ち、電源電圧ＶＤＤが、ＧＮＤレベルから所定の電圧まで上昇し、液晶表示装置が液晶表示を開始する付近までのみが示されている。
【００１４】
図４に示すように、先ず、電源回路からの電源電圧ＶＤＤがＧＮＤから所定の電圧値まで上昇する際に、液晶コントローラ３０は、ゲートドライバ３４の初期化（ＩＮＩ）信号を立ち上げる。ＩＮＩ信号は、ゲートドライバ３４の初期化などに利用される。また、図４において、ＩＮＩ信号がハイレベルとなっている期間を初期化期間ａとする。初期化期間ａでは、データドライバ３３及びゲートドライバ３４は動作しないため、液晶表示パネル３１は動作しておらず、液晶表示は行われない。
【００１５】
次に、液晶コントローラ３０は、初期化期間ａの継続中に、ＳＣＫ信号を入力し、チャージポンプ回路３５の駆動を開始する。チャージポンプ回路３５が駆動されると、電圧ＧＶＤＤが立ち上がり、一定時間の経過後に安定したレベルに達する。電圧ＧＶＤＤの立ち上がりから安定したレベルに達するまでの期間を立ち上がり期間ｃとする。
【００１６】
電圧ＧＶＤＤが安定したレベルに達した後、ＩＮＩ信号が立ち下がり、初期化期間ａが終了する。その後、液晶コントローラ３０は、チャージポンプ回路３５にゲートクロック（ＧＣＫ）信号を入力し、更に、各種液晶駆動用信号（図示せず）を液晶表示パネル３１内のデータドライバ３３、ゲートドライバ３４及びチャージポンプ回路３５に入力する。これにより、表示領域３２において所望の画像の表示が開始される。また、表示領域３２において画像の表示が可能な期間を期間ｂとする。
【００１７】
なお、ＳＣＫ信号の入力タイミングは、ＳＣＫ信号の入力開始から電圧ＧＶＤＤが安定したレベルに達するまでの期間（立ち上がり期間ｃに相当する）が、初期化期間ａ中に収まるように設定すれば良い。また、初期化期間ａの長さは、立ち上がり期間ｃの長さを考慮して設定される。
【特許文献１】特開平３−１４９５２０号公報
【特許文献２】特開２００１−１８３７０２公報
【発明の開示】
【発明が解決しようとする課題】
【００１８】
しかしながら、上記図３及び図４に示した液晶表示装置においては、チャージポンプ回路３５には容量３６が接続されている。このため、容量３６の影響によって電圧ＧＶＤＤの立ち上がりが緩やかとなり、立ち上がり期間ｃが長くなってしまうという問題がある。更に、このことは、初期化期間ａの長時間化につながり、液晶表示装置の電源をＯＮしてから画像表示までの時間を長くする要因となる。このため、電源をＯＮしてから画像表示までの時間を短縮化することが求められている。
【００１９】
本発明の目的は、上記問題を解消し、電源をＯＮにしてから画像が表示されるまでの時間を短縮化し得る液晶表示装置を提供することにある。
【課題を解決するための手段】
【００２０】
上記目的を達成するために本発明における液晶表示装置は、マトリクス状に配置された複数のアクティブ素子を有する液晶表示パネルと、ゲートドライバと、データドライバと、電源電圧を昇圧し、昇圧した電圧を前記ゲートドライバに供給する昇圧回路とを備えた液晶表示装置であって、前記昇圧した電圧のノイズを低減するための容量と、スイッチング素子と、制御回路とを備え、前記容量は、前記スイッチング素子を介して、前記昇圧回路に接続され、前記制御回路は、前記昇圧回路が前記ゲートドライバに供給する電圧の電圧値が基準値に到達したとき又は到達した後に、前記スイッチング素子を開状態から閉状態に切り替えることを特徴とする。
【発明の効果】
【００２１】
以上の特徴により、本発明における液晶表示装置によれば、ノイズ低減のための容量の影響を抑制でき、昇圧回路（チャージポンプ回路）によって昇圧された電源電圧（電圧ＧＶＤＤ）の立ち上がりを、従来に比べて急峻なものとできる。よって、液晶表示装置の電源をＯＮにしてから画像が表示されるまでの時間を短縮化することができる。
【発明を実施するための最良の形態】
【００２２】
本発明における液晶表示装置は、マトリクス状に配置された複数のアクティブ素子を有する液晶表示パネルと、ゲートドライバと、データドライバと、電源電圧を昇圧し、昇圧した電圧を前記ゲートドライバに供給する昇圧回路とを備えた液晶表示装置であって、前記昇圧した電圧のノイズを低減するための容量と、スイッチング素子と、制御回路とを備え、前記容量は、前記スイッチング素子を介して、前記昇圧回路に接続され、前記制御回路は、前記昇圧回路が前記ゲートドライバに供給する電圧の電圧値が基準値に到達したとき又は到達した後に、前記スイッチング素子を開状態から閉状態に切り替えることを特徴とする。
【００２３】
上記本発明における液晶表示装置は、ＡＣ／ＤＣ変換回路を更に備え、前記制御回路が、前記昇圧回路が前記ゲートドライバに供給する電圧の電圧値が基準値に到達したとき又は到達した後に、前記ゲートドライバを駆動するためのゲートクロック信号を前記昇圧回路及び前記ＡＣ／ＤＣ変換回路へと出力し、前記ＡＣ／ＤＣ変換回路は、前記ゲートクロック信号をＡＣ／ＤＣ変換し、変換後のゲートクロック信号を前記スイッチング素子に入力し、前記スイッチング素子が、トランジスタ素子であり、前記変換後のゲートクロック信号の入力によって、前記昇圧回路が前記ゲートドライバに供給する電圧の電圧値が基準値に到達したとき又は到達した後に、開状態から閉状態に切り替わる態様とできる。上記態様によれば、簡単な構成で、立ち上がり期間が終了するまで、容量と昇圧回路とを切り離しておくことができる。
【００２４】
また、上記本発明における液晶表示装置においては、前記複数のアクティブ素子それぞれが、アモルファスシリコンよりも電荷移動度の速いシリコンによってガラス基板上に形成され、前記ゲートドライバ、前記データドライバ、及び前記昇圧回路が、前記液晶表示パネルを構成するアクティブマトリクス基板にモノリシックに形成されているのが好ましい。この場合は、液晶表示装置の薄型化や額縁部分の狭小化を図ることができる。
【００２５】
ところで、透過型の液晶表示パネルは、液晶が自発光素子ではないことから、液晶パネルの背面にバックライトを搭載している。透過型の液晶表示パネルおいては、バックライトからの照射光を液晶層によって遮光したり、透過させたりすることによって表示が行なわれる。よって、バックライトが点灯していない状態では、表示画面は黒表示となる。このため、透過型の液晶パネルにおいては、バックライトは、電源電圧ＶＤＤの投入後、表示期間ｂに入るまでは点灯されず、安定表示が開始された後に点灯される。
【００２６】
これに対し、反射型の液晶表示パネル、微反射型の液晶表示パネル、半透過型の液晶表示パネルでは、外光を反射して液晶表示が可能となっており、必ずしもバックライトは必要ではない。よって、このような液晶表示パネルの場合は、上記のようなバックライトによる制御は行なわれず、電源電圧ＶＤＤの投入後、表示期間ｂに入るまでに、ゲートドライバやデータドライバに不要な信号が入力されると、不要な液晶表示が行なわれてしまう。
【００２７】
このため、このような外光を反射して液晶表示を行なう液晶表示パネルにおいては、透過型の液晶表示パネルに比べて、よりいっそう、電源をＯＮにしてから画像が表示されるまでの時間を短縮化することが求められる。従って、上記本発明における液晶表示装置は、特に、液晶表示パネルが、外光を反射して液晶表示を行なう液晶表示パネルである場合に有効である。
【００２８】
（実施の形態）
以下、本発明の実施の形態における液晶表示装置について、図１及び図２を参照しながら説明する。最初に、本実施の形態における液晶表示装置の構成について図１を用いて説明する。図１は、本発明の実施の形態における液晶表示装置の構成を示す構成図である。図１において液晶表示装置は等価回路によって示されている。
【００２９】
図１に示すように、本実施の形態における液晶表示装置は、従来例（図３参照）と同様に、液晶表示パネル１と、ゲートドライバ４と、データドライバ３と、昇圧回路（チャージポンプ回路）５と、液晶コントローラ（制御回路）１０とを備えている。液晶表示パネル１は、実際には、複数のＴＦＴがマトリクス状に配置されたアクティブマトリクス基板（図示せず）と、複数のカラーフィルタがマトリクス状に配置された対向基板（図示せず）との間で液晶層（図示せず）を挟み込んで構成されている。
【００３０】
液晶表示パネル１の表示領域２には、従来例と同様に、複数のＴＦＴ（アクティブ素子）１１〜ＴＦＴｘｙ、各ＴＦＴに対応する複数の画素電極（図示せず）、液晶層（図示せず）、対向基板に形成された複数のカラーフィルタ（図示せず）及び対向電極（図示せず）が設けられている。図１において、ＶＣＯＭは、対向電極に印加される電圧を示している。また、Ｃ１１〜Ｃｘｙは、各画素電極と、対向電極と、これらの間に存在する液晶層とによって構成される画素容量を示している。ＴＦＴ１１〜ＴＦＴｘｙ、画素電極、画素容量Ｃ１１〜Ｃｘｙは、マトリクス状に配置されている。
【００３１】
また、表示領域２には、従来例と同様に、複数本のデータラインＤＬ１〜ＤＬｘ、及び複数本のゲートラインＧＬ１〜ＧＬｙも設けられている。ゲートラインＧＬ１〜ＧＬｙは、ＴＦＴ１１〜ＴＦＴｘｙのＯＮ／ＯＦＦを行なうための信号ラインであり、ゲートドライバ４によって駆動される。データラインＤＬ１〜ＤＬｘは、ＴＦＴ１１〜ＴＦＴｘｙを介して画素容量Ｃ１１〜Ｃｘｙに電圧を印加するための信号ラインであり、データドライバ３によって駆動されている。
【００３２】
更に、表示領域２には、従来例と同様に、データ保持のために、ＴＦＴ１１〜ＴＦＴｘｙそれぞれに対応する補助容量Ｃｓ１１〜Ｃｓｘｙも設けられている。補助容量Ｃｓ１１〜Ｃｓｘｙは、Ｃｓ配線（図示せず）と、画素電極と、これらの間に形成された層間絶縁膜とによって構成されている。また、図１の例においても、従来例と同様に、補助容量Ｃｓ１１〜Ｃｓｘｙには、Ｃｓ配線を介して、チャージポンプ回路５によって昇圧された電圧ＧＶＤＤが印加されている。
【００３３】
また、チャージポンプ回路５は、従来例と同様に、電源回路（図示せず）から供給される電源電圧ＶＤＤ（例えば１２［Ｖ］）を昇圧し、昇圧した電圧（電圧ＧＶＤＤ（例えば１６［Ｖ］））をゲートドライバ４に供給する。ゲートドライバ４は、ＴＦＴ１１〜ＴＦＴｘｙをＯＮにするためのスイッチング電圧として、電圧ＧＶＤＤを使用する。また、チャージポンプ回路５は、従来例と同様に、液晶コントローラ１０からのソースクロック（ＳＣＫ）信号の入力タイミングに合わせて昇圧を行ない、電圧ＧＶＤＤを生成する。また、チャージポンプ回路５は、上述したようにＣｓ配線にも電圧ＧＶＤＤを供給する。
【００３４】
また、チャージポンプ回路５には、従来例と同様に、ゲートドライバ４に加え、容量６とツェナーダイオード７が接続されている。容量６は、図３に示した容量３６と同様に、電圧ＧＶＤＤが出力される際のノイズ低減を目的としたものである。また、ツェナーダイオード７も、図３に示したツェナーダイオード３７と同様に、定電圧の維持や過剰電圧の防止を目的としたものである。
【００３５】
また、ゲートドライバ４、データドライバ３、及び昇圧回路（チャージポンプ回路）５は、従来例と同様に、液晶表示パネル１の表示領域２の周辺の領域、具体的には、液晶表示パネル１を構成するアクティブマトリクス基板上の表示領域の周辺に配置されている。更に、容量６及びツェナーダイオード７も、従来と同様に、表示領域２の周辺の領域に配置されている。
【００３６】
液晶コントローラ１０は、液晶表示パネル１を駆動するための各種信号を生成し、これをデータドライバ３、ゲートドライバ４、及びチャージポンプ回路５に入力する。具体的には、液晶コントローラ３０は、電圧ＧＶＤＤが基準値に到達したとき又は到達した後に、ゲートドライバ４を駆動するためのゲートクロック（ＧＣＫ）信号をチャージポンプ回路５へと出力する。また、液晶コントローラ１０は、液晶表示装置の電源が投入されると、初期化（ＩＮＩ）信号をゲートドライバ４へと出力し、ゲートドライバ４を初期化する。更に、液晶コントローラ１０は、チャージポンプ回路５及びデータドライバ３へとＳＣＫ信号を出力する。チャージポンプ回路５は、ソースクロックＳＣＫ信号が入力されると昇圧を開始する。
【００３７】
このように、本実施の形態における液晶表示装置は、図３に示した従来の液晶表示装置と共通の構成を備えているが、以下の点で従来例と異なっている。図１に示すように、本実施の形態では、容量６は、スイッチング素子８を介して、チャージポンプ回路５に接続されている。また、本実施の形態では、液晶コントローラ１０は、チャージポンプ回路５がゲートドライバ４に供給する電圧ＧＶＤＤの電圧値が基準値に到達したとき又は到達した後に、スイッチング素子８を開状態から閉状態に切り替える。
【００３８】
具体的には、本実施の形態では、液晶表示パネル１の表示領域２の周辺に、ＡＣ／ＤＣ変換回路９が設けられている。また、スイッチング素子８は、トランジスタ素子で構成されており、このトランジスタ素子のゲートはＡＣ／ＤＣ変換回路９に接続されている。更に、液晶コントローラ１０は、チャージポンプ回路５に加え、ＡＣ／ＤＣ変換回路９へもＧＣＫ信号を出力している。
【００３９】
このため、ＡＣ／ＤＣ変換回路９にＧＣＫ信号が入力されると、ＡＣ／ＤＣ変換回路９は、ゲートクロック信号をＡＣ／ＤＣ変換し、変換後のＧＣＫ信号、即ち、直流電圧を、スイッチング素子８を構成するトランジスタ素子のゲートに印加する。この結果、トランジスタ素子のチャネルが開き、スイッチング素子８は開状態から閉状態に切り替わる。また、スイッチング素子８の切り替えのタイミングは、ゲートクロック信号の入力タイミングに一致するため、スイッチング素子８は、電圧ＧＶＤＤの電圧値が基準値に到達したとき又は到達した後に、開状態から閉状態に切り替わる。
【００４０】
ここで、図１に示した液晶コントローラ１０が液晶表示パネルに入力する信号及びその入力タイミングについて、図２を用いて説明する。図２は、図１に示した液晶表示パネルに外部から入力される信号を示す図である。なお、図２では、液晶表示装置の電源投入時、即ち、電源電圧ＶＤＤが、ＧＮＤレベルから基準値まで上昇し、液晶表示装置が液晶表示を開始する付近までのみが示されている。
【００４１】
図２に示すように、先ず、図４に示した従来例と同様に、電源回路からの電源電圧ＶＤＤがＧＮＤから所定の電圧値まで上昇する際に、液晶コントローラ１０は、ゲートドライバ４のＩＮＩ信号を立ち上げる。図２においても、図４の従来例と同様に、ＩＮＩ信号がハイレベルとなっている期間を初期化期間ａとする。初期化期間ａでは、データドライバ３及びゲートドライバ４は動作しないため、液晶表示パネル１は動作しておらず、液晶表示は行われない。
【００４２】
次に、液晶コントローラ１０は、初期化期間ａの継続中に、ＳＣＫ信号をチャージポンプ回路５及びデータドライバ３へと出力し、チャージポンプ回路５の駆動を開始する。これにより、電圧ＧＶＤＤが立ち上がり、一定時間の経過後に安定したレベル（基準値（例えば、１６［Ｖ］））に達する。図２においても、電圧ＧＶＤＤの立ち上がりから安定したレベル（基準値）に達するまでの期間を立ち上がり期間ｃとする。また、ＳＣＫ信号の入力タイミングは、ＳＣＫ信号の入力開始から電圧ＧＶＤＤが安定したレベルに達するまでの期間が、初期化期間ａ中に収まるように設定すれば良い。
【００４３】
但し、本実施の形態においては、上述したように、立ち上がり期間ｃにおいては、ＧＣＫ信号は未だ出力されていないため、スイッチング素子８は開状態にある。よって、立ち上がり期間ｃにおいては、容量６は、チャージポンプ回路５に接続されていない状態にある。よって、本実施の形態では、容量６の影響が殆ど無く、電圧ＧＶＤＤの立ち上がりは、従来に比べて急峻なものとなり、立ち上がり期間ｃが短縮化される。
【００４４】
次に、電圧ＧＶＤＤが安定したレベルに達した後、ＩＮＩ信号が立ち下がり、初期化期間ａが終了する。次いで、本実施の形態では、液晶コントローラ１０は、ＩＮＩ信号が立ち下がったタイミングで、ゲートドライバ４に加え、ＡＣ／ＤＣ変換回路９にもＧＣＫ信号を入力する。これにより、ゲートドライバ４が駆動されると共に、容量６による電圧ＧＶＤＤのノイズ低減が開始される。
【００４５】
その後、液晶コントローラ１０は、各種液晶駆動用信号（図示せず）を液晶表示パネル１内のデータドライバ３、ゲートドライバ４及びチャージポンプ回路５に入力する。これにより、表示領域２において所望の画像の表示が開始される。また、表示領域２において画像の表示が可能な期間を期間ｂとする。なお、図４において「Ｃｏｎ」は、ノイズを低減するための容量６がオンされるタイミングを示している。
【００４６】
以上のように、本実施の形態によれば、立ち上がり期間ｃを短くできるため、従来例に比べて、初期化期間ａの長さを短く設定できる。よって、本実施の形態における液晶表示装置によれば、従来の液晶表示装置に比べて、液晶表示装置の電源をＯＮしてから画像が表示されるまでの時間を短縮化することができる。
【００４７】
また、本実施の形態において、データドライバ３、ゲートドライバ４及びチャージポンプ回路５は、液晶表示パネル１を構成するアクティブマトリクス基板にモノリシックに形成することができる。この場合、アクティブマトリクス基板のベース基板（ガラス基板）上に形成されるシリコン膜は、アモルファスシリコンよりも電荷移動度が速いシリコン、例えばポリシリコン、低温ポリシリコン、又はＣＧ（連続粒界結晶）シリコン等であるのが好ましい。更に、この場合は、容量６やツェナーダイオード７もアクティブマトリクス基板にモノリシックに形成することができる。
【００４８】
アクティブマトリクス基板のベース基板（ガラス基板）上に形成されるシリコン膜が、アモルファスシリコンで形成されている場合は、データドライバ３、ゲートドライバ４及びチャージポンプ回路５はＩＣチップによって提供するのが好ましい。この場合、これらのＩＣチップは、アクティブマトリクス基板上に直接実装しても良いし、ＦＰＣ上やＦＰＣを介して接続された外部基板上に実装しても良い。また、液晶コントローラ１０もＩＣチップによって提供するのが好ましい。液晶コントローラ１０を構成するＩＣチップも、アクティブマトリクス基板上に直接実装しても良いし、ＦＰＣ上やＦＰＣを介して接続された外部基板上に実装しても良い。
【００４９】
また、図１及び図２に示した実施の形態では、スイッチング素子８としてトランジスタ素子が用いられているが、本発明は、これに限定されるものではない。更に、図１及び図２に示した実施の形態では、スイッチング素子８のＯＮ／ＯＦＦは、ゲートクロック信号を利用したＡＣ／ＤＣ変換回路を用いて行なわれているが、本発明は、この例にも限定されるものではない。本発明においては、例えば、トランジスタ素子やＡＣ／ＤＣ変換回路９を用いる代わりに、ゲートクロック信号を利用したリレー回路を用いることもできる。
【００５０】
また、本発明において液晶表示パネルは、透過型及び反射型のいずれであっても良い。但し、電源をＯＮにしてから画像が表示されるまでの時間を短縮化することが求められる点から、反射型の液晶表示パネル、微反射型の液晶表示パネル、半透過型の液晶表示パネルといった、外光を反射して液晶表示を行なう液晶表示パネルに特に有効である。
【産業上の利用可能性】
【００５１】
以上のように、本発明によれば、液晶表示装置の起動時間の短縮化を図ることができることから、本発明は液晶表示装置に有用である。よって、本発明における液晶表示装置は、産業上の利用可能性を有するものである。
【図面の簡単な説明】
【００５２】
【図１】本発明の実施の形態における液晶表示装置の構成を示す構成図である。
【図２】図１に示した液晶表示パネルに外部から入力される信号を示す図である。
【図３】従来からのアクティブマトリクス方式の液晶表示装置の構成を示す構成図である。
【図４】図３に示した液晶表示パネルに外部から入力される信号を示す図である。
【符号の説明】
【００５３】
１  液晶表示装置
２  表示領域
３  データドライバ
４  ゲートドライバ
５  チャージポンプ回路（昇圧回路）
６  容量
７  ツェナーダイオード
８  スイッチング素子
９  ＡＤ／ＤＣ変換回路
１０  液晶コントローラ（制御回路）
ＴＦＴ１１〜ＴＦＴｘｙ  アクティブ素子
Ｃ１１〜Ｃｘｙ  画素容量
Ｃｓ１１〜Ｃｓｘｙ  補助容量
ＤＬ１〜ＤＬｘ  データライン
ＧＬ１〜ＧＬｙ  ゲートライン
【図１】
2007101588.tif 000003
【図２】
2007101588.tif 000004
【図３】
2007101588.tif 000005
【図４】
2007101588.tif 000006